(57)【要約】【課題】ヘルメットに付着した臭いを除去するとともに、ヘルメットを効率よく乾燥することが可能なヘルメット支持台を提供する。【解決手段】このヘルメット支持台１は、イオン送出装置２０から供給された空気を送出するための吹出口６ａおよび６ｂと、ヘルメット５０を支持する支持部８と、を備える。吹出口６ａおよび６ｂはヘルメット５０の内部に配置される。【選択図】図１
2012159206.tif 000002
【特許請求の範囲】
【請求項１】
イオン送出装置からイオンを含む空気が供給されるヘルメット支持台であって、
前記イオン送出装置から空気が導入される吸込口と、
導入された空気を送出するための吹出口と、
前記吸込口および前記吹出口を連結する空気通路部と、
ヘルメットを支持する支持部と、
を備え、
前記吹出口は前記ヘルメットの内部に配置されることを特徴とするヘルメット支持台。
【請求項２】
前記支持部は上側に突出するように形成されていることを特徴とする請求項１に記載のヘルメット支持台。
【請求項３】
前記支持部は複数形成されており、
前記支持部同士の間には空間が形成されていることを特徴とする請求項２に記載のヘルメット支持台。
【請求項４】
前記支持部に前記ヘルメットを載置した状態で、前記吹出口は前記ヘルメットの内部の上側部分に配置されることを特徴とする請求項１〜３のいずれか１項に記載のヘルメット支持台。
【請求項５】
平面的に見て前記支持部の外周は長円形状に形成されていることを特徴とする請求項１〜４のいずれか１項に記載のヘルメット支持台。
【請求項６】
前記ヘルメットを載置する際の「前方向」および「後方向」を示す表示がなされていることを特徴とする請求項１〜５のいずれか１項に記載のヘルメット支持台。
【請求項７】
前記支持部に前記ヘルメットを適切に載置した状態で、前記吹出口は前記ヘルメットの額当接部および側頭当接部のすくなくとも一方に向かって開口していることを特徴とする請求項１〜６のいずれか１項に記載のヘルメット支持台。
【請求項８】
前記支持部に前記ヘルメットを適切に載置した状態で、前記吹出口は前記ヘルメットの頭頂当接部および後頭当接部の少なくとも一方に向かって開口していることを特徴とする請求項１〜７のいずれか１項に記載のヘルメット支持台。
【請求項９】
前記吹出口は前記支持部同士を結ぶ方向に対して交差する方向に向かって開口していることを特徴とする請求項３に記載のヘルメット支持台。
【請求項１０】
前記空気通路部は空気を吹出口に導く導風面により形成されていることを特徴とする請求項１〜９のいずれか１項に記載のヘルメット支持台。
【請求項１１】
前記導風面は下側に突出する凸面により形成されており、
前記吸込口に供給された空気は前記凸面に沿って前記吹出口に導かれることを特徴とする請求項１０に記載のヘルメット支持台。
【請求項１２】
前記支持部に前記ヘルメットを載置した状態で、前記ヘルメットの下端が前記イオン送出装置の底面よりも上側に位置するように、形成されていることを特徴とする請求項１〜１１のいずれか１項に記載のヘルメット支持台。
【請求項１３】
前記イオン送出装置に取り付けられることを特徴とする請求項１〜１２のいずれか１項に記載のヘルメット支持台。
【請求項１４】
請求項１〜１３のいずれかに記載のヘルメット支持台と、
前記ヘルメット支持台にイオンを含む空気を供給するイオン送出装置と、
を備えることを特徴とするヘルメット浄化装置。
【発明の詳細な説明】
【技術分野】
【０００１】
この発明は、ヘルメット支持台およびそれを備えたヘルメット浄化装置に関し、特に、イオン送出装置からイオンを含む空気が供給されるヘルメット支持台およびそれを備えたヘルメット浄化装置に関する。
【背景技術】
【０００２】
頭部を保護するヘルメットとして、乗車用ヘルメット、産業用保護帽（作業用ヘルメット）やスポーツ用ヘルメット（例えば剣道用防具の面）などが知られている。ヘルメットは内部の換気が悪いので、着用者の頭皮から蒸発する汗がヘルメットに付着し、ヘルメットの内面が濡れる。ヘルメットの内面が濡れていると、ヘルメットを装着した際に不快感があるので、ヘルメットを乾燥させる必要がある。しかしながら、ヘルメットを自然乾燥させるだけでは、乾燥に時間がかかるという不都合がある。
【０００３】
そこで、ヘルメットに空気を送風し、ヘルメットを強制的に乾燥するヘルメット乾燥機が提案されている（例えば、特許文献１参照）。上記特許文献１には、ヘルメットが載置されるヘルメット載置台（ヘルメット支持台）と電動ファン手段とを備えたヘルメット乾燥機が開示されている。このヘルメット乾燥機では、ヘルメット載置台は上面に送気グリル（吹出口）が設けられた箱型に形成されている。そして、ヘルメット載置台の上面上にヘルメットが載置され、電動ファン手段から送気グリルを介してヘルメットに空気が送風される。
【０００４】
なお、上記特許文献１には、ヘルメットの湿り具合を検知する湿度センサや乾燥を促進するための加熱手段を設けることが好ましいと記載されている。
【先行技術文献】
【特許文献】
【０００５】
【特許文献１】実用新案登録第３０９３３５４号公報
【発明の概要】
【発明が解決しようとする課題】
【０００６】
しかしながら、上記特許文献１では、ヘルメットを単に乾燥するだけなので、ヘルメットに付着した汗臭および皮脂臭などを除去できない。このため、ヘルメットを装着した際に不快感があるという問題点があった。
【０００７】
また、上記特許文献１のヘルメット載置台は上面に送気グリルが設けられた箱型である。そして、ヘルメット載置台の上面上にヘルメットが載置された状態で、下側からヘルメットに空気が送風される。このため、ヘルメットの下側から内部に入る気流と、ヘルメットの内部から下側に出る気流とが衝突する。これにより、気流が乱れ、ヘルメットに乾燥ムラが発生するので、ヘルメットを効率よく乾燥させるのが困難であるという問題点もあった。
【０００８】
この発明は、上記のような課題を解決するためになされたものであり、この発明の目的は、ヘルメットに付着した臭いを除去するとともに、ヘルメットを効率よく乾燥することが可能なヘルメット支持台およびそれを備えたヘルメット浄化装置を提供することである。
【課題を解決するための手段】
【０００９】
上記目的を達成するために、本発明のヘルメット支持台は、イオン送出装置からイオンを含む空気が供給されるヘルメット支持台であって、イオン送出装置から空気が導入される吸込口と、導入された空気を送出するための吹出口と、吸込口および吹出口を連結する空気通路部と、ヘルメットを支持する支持部と、を備え、吹出口はヘルメットの内部に配置される。
【００１０】
なお、本発明において「ヘルメット」とは、乗車用ヘルメットだけでなく、産業用保護帽（作業用ヘルメット）、スポーツ用ヘルメット（例えば剣道用防具の面）および帽子などを含む概念である。
【００１１】
本発明によれば、特別な装置（ヘルメット乾燥装置）を購入することなく、一般的な家庭用のイオン送出装置を使用することができる。また、イオン送出装置からの空気をヘルメットに送出するので、ヘルメットに付着した臭い（汗臭、皮脂臭）や雑菌などを除去することができる。これにより、ヘルメットを装着した際の不快感を低減することができる。
【００１２】
また、吹出口をヘルメットの内部に配置することによって、イオンを含む空気はヘルメットの内部に直接送風される。
【００１３】
上記ヘルメット支持台において、好ましくは、支持部は上側に突出するように形成されている。このように構成すれば、ヘルメットとヘルメット支持台との間に隙間が形成されるとともに、ヘルメットとヘルメット支持台との接触面積が小さくなる。
【００１４】
上記支持部が上側に突出するヘルメット支持台において、好ましくは、支持部は複数形成されており、支持部同士の間には空間が形成されている。このように構成すれば、ヘルメットとヘルメット支持台との接触面積を小さくしながら、ヘルメットを安定して支持することができる。
【００１５】
上記ヘルメット支持台において、好ましくは、支持部にヘルメットを載置した状態で、吹出口はヘルメットの内部の上側部分に配置される。
【００１６】
上記ヘルメット支持台において、好ましくは、平面的に見て支持部の外周は長円形状に形成されている。このように構成すれば、ヘルメットがヘルメット支持台に対して約９０度ずれて載置されるのを抑制することができる。
【００１７】
上記ヘルメット支持台において、好ましくは、ヘルメットを載置する際の「前方向」および「後方向」を示す表示がなされている。このように構成すれば、ヘルメット支持台の前方向および後方向を容易に認識できるので、ヘルメットを容易に適切な方向に載置することができる。なお、ヘルメット支持台の前方向とは、ヘルメット支持台にヘルメットを適切に載置した状態で、ヘルメットの額当接部が配置される方向である。また、ヘルメット支持台の後方向とは、ヘルメット支持台にヘルメットを適切に載置した状態で、ヘルメットの後頭当接部が配置される方向である。
【００１８】
上記ヘルメット支持台において、好ましくは、支持部にヘルメットを適切に載置した状態で、吹出口はヘルメットの額当接部および側頭当接部のすくなくとも一方に向かって開口している。額や側頭部は汗や皮脂が特に出やすいので、ヘルメットの額当接部および側頭当接部は特に汚れやすい。このため、吹出口をヘルメットの額当接部および側頭当接部のすくなくとも一方に向かって開口させることによって、ヘルメットのうちの特に汚れやすい額当接部や側頭当接部に重点的にイオンを含む空気を当てることができる。
【００１９】
上記ヘルメット支持台において、好ましくは、支持部にヘルメットを適切に載置した状態で、吹出口はヘルメットの頭頂当接部および後頭当接部の少なくとも一方に向かって開口している。頭頂部や後頭部は汗や皮脂が出やすいので、ヘルメットの頭頂当接部および後頭当接部は汚れやすい。このため、吹出口をヘルメットの頭頂当接部および後頭当接部の少なくとも一方に向かって開口させることによって、ヘルメットのうちの汚れやすい頭頂当接部や後頭当接部に重点的にイオンを含む空気を当てることができる。
【００２０】
上記支持部が複数形成されているヘルメット支持台において、好ましくは、吹出口は支持部同士を結ぶ方向に対して交差する方向に向かって開口している。このように構成すれば、支持部同士の間の空気は吹出口から送出される空気と同じ方向に導かれ、ヘルメットの内部の空気の流れがより滑らかになる。
【００２１】
上記ヘルメット支持台において、好ましくは、空気通路部は空気を吹出口に導く導風面により形成されている。このように構成すれば、吸込口に供給された空気は滑らかに吹出口に導かれる。
【００２２】
この場合、好ましくは、導風面は下側に突出する凸面により形成されており、吸込口に供給された空気は凸面に沿って吹出口に導かれる。このように構成すれば、吸込口に供給された空気を容易に滑らかに吹出口に導くことができる。
【００２３】
上記ヘルメット支持台は、好ましくは、支持部にヘルメットを載置した状態で、ヘルメットの下端がイオン送出装置の底面よりも上側に位置するように、形成されている。このように構成すれば、イオン送出装置はヘルメットの外部の空気を吸い込み、ヘルメットの水分を吸収した空気はヘルメットの外部に排出される。
【００２４】
上記ヘルメット支持台は、好ましくは、イオン送出装置に取り付けられる。このように構成すれば、ヘルメット浄化装置（ヘルメット支持台およびイオン送出装置）全体を容易に小型化することができる。また、ヘルメット支持台をイオン送出装置に近づけて配置することができる。
【００２５】
本発明のヘルメット浄化装置は、上記の構成のヘルメット支持台と、ヘルメット支持台にイオンを含む空気を供給するイオン送出装置と、を備える。
【発明の効果】
【００２６】
以上のように、本発明によれば、吹出口をヘルメットの内部に配置することによって、イオンを含む空気をヘルメットの内部に直接送風することができる。これにより、ヘルメットに入る気流とヘルメットから出る気流とが衝突するのを抑制することができるので、気流が乱れるのを抑制する（気流を滑らかに導く）ことができる。このため、ヘルメットに乾燥ムラが発生するのを抑制することができるので、ヘルメットを効率よく乾燥させることができる。また、ヘルメットに付着した臭い（汗臭、皮脂臭）や雑菌などを効率よく除去することができる。
【図面の簡単な説明】
【００２７】
【図１】本発明の第１実施形態によるヘルメット支持台をイオン送出装置に取り付けた状態を前側（正面側）から示した斜視図である。
【図２】図１のイオン送出装置を前側から示した斜視図である。
【図３】図１のイオン送出装置を後側（背面側）から示した分解斜視図である。
【図４】図１のヘルメット支持台の構造を示した側面図である。
【図５】図１のヘルメット支持台の構造を前側から示した斜視図である。
【図６】図１のヘルメット支持台の構造を示した平面図である。
【図７】図６の１００−１００線に沿った断面図である。
【図８】図６の１５０−１５０線に沿った断面図である。
【図９】図１のヘルメット支持台の構造を後側から示した図である。
【図１０】図１のヘルメット支持台にヘルメットを載置した状態を側方から示した部分断面図である。
【図１１】図１のヘルメット支持台にヘルメットを載置した状態を後側から示した部分断面図である。
【図１２】図１のヘルメット支持台にヘルメットを載置した状態を上側から示した部分断面図である。
【図１３】本発明の第２実施形態によるヘルメット支持台の構造を示した平面図である。
【図１４】図１３の２００−２００線に沿った断面図である。
【図１５】図１３の２５０−２５０線に沿った断面図である。
【図１６】本発明の第３実施形態によるヘルメット支持台の構造を示した平面図である。
【図１７】図１６のヘルメット支持台の構造を後側から示した図である。
【図１８】図１６の３００−３００線に沿った断面図である。
【図１９】図１６の３５０−３５０線に沿った断面図である。
【図２０】図１６のヘルメット支持台にヘルメットを載置した状態を側方から示した部分断面図である。
【図２１】図１６のヘルメット支持台にヘルメットを載置した状態を後側から示した部分断面図である。
【発明を実施するための形態】
【００２８】
以下、本発明の実施形態について図面を参照して説明する。なお、理解を容易にするために、断面図であってもハッチングを施さない場合がある。
【００２９】
（第１実施形態）
図１〜図１２を参照して、本発明の第１実施形態によるヘルメット支持台１の構造について説明する。
【００３０】
本発明の第１実施形態によるヘルメット支持台１は、例えば乗車用のヘルメット５０（図１０参照）を乾燥、脱臭および除菌するためのものである。なお、ヘルメット５０はフルフェイスタイプであり、ウインドシールド５１を下げた状態でヘルメット支持台１に載置される。図１に示すように、ヘルメット支持台１はイオン送出装置２０の上部に取り付けられ、イオン送出装置２０からイオンを含む空気が供給される。また、ヘルメット支持台１は供給された空気をヘルメット５０に送出するように形成されている。なお、ヘルメット支持台１とイオン送出装置２０とによって、本発明のヘルメット浄化装置が構成されている。
【００３１】
ここで、イオン送出装置２０について簡単に説明する。イオン送出装置２０は、例えばシャープ株式会社製のイオン発生機ＩＧ−Ｂ２０を用いることができる。なお、言うまでもなく、イオンを含む空気を送出する機能を有していれば、他のイオン送出装置を用いることも可能である。
【００３２】
図２および図３に示すように、イオン送出装置２０は、例えば携帯可能な小型に形成されており、略直方体形状の本体部２１を備えている。
【００３３】
本体部２１の上面２１ａには、後述するイオン発生器２３（図３参照）で発生した空気を送出するための複数の吹出口２１ｂが形成されている。図３に示すように、本体部２１の背面側には、本体部２１に対して着脱可能に後側パネル２２が設けられている。後側パネル２２には、外部の空気を吸い込むための複数の吸込口２２ａが形成されている。また、本体部２１の下部には、複数の吸込口２１ｃが形成されている。そして、吸込口２２ａ、吸込口２１ｃおよび吹出口２１ｂを接続するように空気通路部（図示せず）が形成されている。この空気通路部には、イオンを発生するイオン発生器２３とイオンを含む空気を吹出口２１ｂから送出する送風機（図示せず）とが設けられている。
【００３４】
イオン発生器２３には、図示しない放電電極が設けられている。また、放電電極には交流波形またはインパルス波形から成る電圧が印加される。放電電極の印加電圧が正電圧の場合はイオンが空気中の水分と結合して主としてＨ+（Ｈ2Ｏ）ｍから成る正イオンを発生する。放電電極の印加電圧が負電圧の場合はイオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３５】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、発生した正イオン及び負イオンを含む空気により、殺菌及び臭い除去を行うことが可能である。
【００３６】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３７】
発生した正イオンおよび負イオンは、発生した位置からの距離が遠いほど、また発生してから時間が経つほど急激に減少する性質を有する。イオン発生機ＩＧ−Ｂ２０（イオン送出装置２０）は広さ１畳×高さ２．６ｍ程度の空間に、正イオンおよび負イオンをそれぞれ２．５万個／ｃｍ3程度の濃度で分布させる能力を有している。このため、イオン送出装置２０に取り付けられたヘルメット支持台１にヘルメット５０を載置した状態では、イオン送出装置２０を極端に狭い空間で使用することになり、正イオンおよび負イオンの濃度はそれぞれ２５０万個／ｃｍ3程度になる。イオン濃度が高くなるにしたがって、殺菌効果および脱臭効果が飛躍的に増大することが分かっているので、一般的に部屋内部でイオン送出装置２０を使用する場合に比べて、殺菌効果および脱臭効果は非常に大きい。
【００３８】
図１および図４に示すように、ヘルメット支持台１は、イオン送出装置２０と前後方向が一致するようにイオン送出装置２０に取り付けられる。ここで、ヘルメット支持台１の前方向は図中Ａ方向であり、後方向はＢ方向である。
【００３９】
図４および図５に示すように、ヘルメット支持台１は側壁部２および上面部３を含んでいるとともに、イオンを含んだ空気が内部を通過できるように形成されている。また、ヘルメット支持台１の下部１ａには、イオン送出装置２０に取り付けるための取付部４が形成されている。この取付部４はイオン送出装置２０の上端に外側から被さる。また、下部１ａはイオン送出装置２０の外形に合わせて略矩形状に形成されている。また、下部１ａには、図７および図８に示すように、イオン送出装置２０（図１参照）で発生したイオンを含む空気が供給（導入）される吸込口５が形成されている。この吸込口５には、イオン送出装置２０の吹出口２１ｂから送出される空気の全量が導入される。
【００４０】
図６に示すように、ヘルメット支持台１の上部１ｂはヘルメット５０の形状に合わせて、平面的に見て長円形状（楕円形状や卵形状など）に形成されている。
【００４１】
また、上部１ｂには、図４および図５に示すように、イオンを含む空気を送出するための複数の吹出口６ａおよび６ｂが形成されている。複数の吹出口６ａおよび６ｂは、図１０および図１１に示すように、ヘルメット５０の頭頂当接部５０ａに近い位置に配置される。すなわち、複数の吹出口６ａおよび６ｂはヘルメット５０の内部の上側部分に配置される。
【００４２】
また、第１実施形態では、複数の吹出口６ａおよび６ｂはヘルメット５０のうちの最も汗や皮脂が付着しやすい部分に向かって空気を送出するように形成されている。
【００４３】
具体的には、複数の吹出口６ａは上部１ｂの前側部分（Ａ方向側の部分）に形成されている。また、複数の吹出口６ｂは上部１ｂの側方部分（Ｃ方向およびＤ方向側の部分）に形成されている。すなわち、ヘルメット５０が適切にヘルメット支持台１に載置された（被せられた）状態で、吹出口６ａは図１０に示すようにヘルメット５０の額当接部５０ａに向かって開口しており、吹出口６ｂは図１１に示すように側頭当接部５０ｂに向かって開口している。なお、額当接部５０ａとは着用者の額に当接する部分のことであり、側頭当接部５０ｂとは着用者の側頭部に当接する部分のことである。また、図５に示すように、吹出口６ａは後述する支持部８同士を結ぶ方向（Ｃ方向およびＤ方向）に対して垂直な方向（Ａ方向）に向かって開口している。
【００４４】
また、図７および図８に示すように、ヘルメット支持台１の内部には、吸込口５と吹出口６ａおよび６ｂとを連結する空気通路部として機能する内部空間７が形成されている。
【００４５】
また、図４および図９に示すように、上面部３には、ヘルメット５０を支持する複数（例えば２つ）の支持部８が上側に突出するように形成されている。この支持部８は上面部３のうちのＣ方向およびＤ方向の端部に設けられている。
【００４６】
また、図６に示すように、支持部８は平面的に見て長円形状（楕円形状や卵形状など）の一部を形成している。言い換えると、複数の支持部８の水平方向の外形包絡線は長円形状に形成されており、人の頭部を真上から見た形状に似ている。
【００４７】
また、図５および図９に示すように、支持部８同士の間には、Ａ方向およびＢ方向に延びる空間９が形成されている。
【００４８】
また、図６に示すように、使用者がヘルメット支持台１の前後方向を認識しやすいように、上面部３の前側部分および後側部分のそれぞれに、例えば「前」および「後ろ」という表示がなされていてもよい。なお、使用者がヘルメット支持台１の前後方向を認識しやすくなるのであれば、文字（「前」および「後ろ」）ではなく、記号や絵などを用いてもよい。また、これらの表示は、上面部３ではなく、側壁部２になされていてもよい。
【００４９】
図１０および図１１に示すように、ヘルメット５０をヘルメット支持台１に載置した状態では、ヘルメット５０は着用者に装着されたような姿勢でヘルメット支持台１に支持される。図１１に示すように、支持部８は上面部３のうちのＣ方向およびＤ方向の端部に設けられているので、ヘルメット５０の内面のうちの頭頂当接部５０ｃから少しずれた位置に当接している。なお、頭頂当接部５０ｃとは着用者の頭頂部に当接する部分のことである。また、支持部８は上面部３から上側に突設されているので、図１０〜図１２に示すように、上面部３とヘルメット５０の内面との間、および、側壁部２とヘルメット５０の内面との間には隙間が形成されている。
【００５０】
また、ヘルメット支持台１の高さは適応するイオン送出装置２０の高さを考慮して決定されており、図１０に示すように、ヘルメット５０の下端がイオン送出装置２０の底面（床７０）よりも上側に位置するように、ヘルメット支持台１が形成されている。
【００５１】
具体的には、例えばイオン発生機ＩＧ−Ｂ２０（イオン送出装置２０）の外形は幅８６ｍｍ×奥行８６ｍｍ×高さ１４６ｍｍであるので、ヘルメット支持台１の高さは約７０ｍｍとなっている。
【００５２】
次に、図２、図３、図７および図１０〜図１２を参照して、空気の流れについて説明する。図１０に示すように、イオン送出装置２０は吸込口２２ａから外部の空気を吸い込み、吹出口２１ｂ（図２参照）からヘルメット支持台１に空気を送出する。このとき、イオン発生器２３（図３参照）でイオンが発生し、イオンを含む空気が吹出口２１ｂから送出される。
【００５３】
ヘルメット支持台１の吸込口５（図７参照）に供給された空気は、内部空間７（空気通路部）（図７参照）を通過して吹出口６ａおよび６ｂから外部（ヘルメット５０の内部）に送出される。
【００５４】
ここで、図１０および図１２に示すように、吹出口６ａから送出された空気（気流Ｆ１）はヘルメット５０の額当接部５０ａに当たった後、ヘルメット５０の内面に沿って下側に導かれる。そして、空気（気流Ｆ２）はヘルメット５０の下端と床７０との間からヘルメット５０の外部に排出される。このとき、一部の空気（気流Ｆ３）は外部に排出されず後側に導かれる（還流する）。
【００５５】
同様に、図１１および図１２に示すように、吹出口６ｂから送出された空気（気流Ｆ４）はヘルメット５０の側頭当接部５０ｂに当たった後、ヘルメット５０の内面に沿って下側に導かれる。そして、空気（気流Ｆ５）はヘルメット５０の下端と床７０との間からヘルメット５０の外部に排出される。このとき、一部の空気（気流Ｆ６）は、吹出口６ａから送出された空気の一部（気流Ｆ３）と合流し、後側に導かれる（還流する）。
【００５６】
そして、図１０および図１２に示すように、後側に導かれた空気はヘルメット５０の内面（後頭当接部５０ｄ）に沿って上側に導かれる。その後、空気（気流Ｆ７）は支持部８同士の間（ヘルメット５０の頭頂当接部５０ｃ）を通過し、空気（気流Ｆ１）と合流してヘルメット５０の内面に沿って下側に導かれる。なお、後頭当接部５０ｄおよび頭頂当接部５０ｃを通過する空気もイオンを含んでいる。
【００５７】
このようにして、ヘルメット５０の内部全体にイオンが行き渡る。
【００５８】
本実施形態では、上記のように、特別な装置（ヘルメット乾燥装置）を購入することなく、一般的な家庭用のイオン送出装置２０を使用することができる。また、イオン送出装置２０からの空気（イオンを含んだ空気）をヘルメット５０に送出するので、ヘルメット５０に付着した臭い（汗臭、皮脂臭）や雑菌、カビを除去することができる。これにより、ヘルメット５０を装着した際の不快感を低減することができる。
【００５９】
また、吹出口６ａおよび６ｂをヘルメット５０の内部に配置することによって、イオンを含む空気をヘルメット５０の内部に直接送風することができる。これにより、ヘルメット５０に入る気流とヘルメット５０から出る気流とが衝突するのを抑制することができるので、気流が乱れるのを抑制する（気流を滑らかに導く）ことができる。このため、ヘルメット５０に乾燥ムラが発生するのを抑制することができるので、ヘルメット５０を効率よく乾燥させることができる。また、ヘルメット５０に付着した（汗臭、皮脂臭）や雑菌などを効率よく除去することができる。
【００６０】
また、ヘルメット５０を支持部８に載置した状態で、複数の吹出口６ａおよび６ｂをヘルメット５０の内部の上側部分に配置する。これにより、ヘルメット５０に入る気流とヘルメット５０から出る気流とが衝突するのをより抑制することができるので、気流が乱れるのをより抑制することができる。
【００６１】
また、支持部８を上側に突出するように形成することによって、ヘルメット５０とヘルメット支持台１との間に隙間を形成することができるとともに、ヘルメット５０とヘルメット支持台１との接触面積を小さくすることができる。これにより、ヘルメット５０をより効率よく乾燥、脱臭および殺菌（除菌）などすることができる。
【００６２】
また、支持部８を複数形成することによって、ヘルメット５０とヘルメット支持台１との接触面積を小さくしながら、ヘルメット５０を安定して支持することができる。
【００６３】
また、支持部８の外周を長円形状に形成するとともに、ヘルメット５０を載置する際の「前方向」および「後方向」を示す表示を設けている。これにより、ヘルメット支持台１の前方向および後方向を容易に認識できるので、ヘルメット５０を容易に適切な方向に載置することができる。
【００６４】
また、額や側頭部は汗や皮脂が特に出やすいので、額当接部５０ａおよび側頭当接部５０ｂは特に汚れやすい。このため、吹出口６ａおよび６ｂを額当接部５０ａおよび側頭当接部５０ｂに向かって開口させることによって、ヘルメット５０のうちの特に汚れやすい額当接部５０ａや側頭当接部５０ｂに重点的にイオンを含む空気を当てることができる。これにより、ヘルメット５０をより効率的に乾燥、脱臭および殺菌などすることができる。
【００６５】
また、吹出口６ａを、支持部８同士を結ぶ方向に対して垂直な方向（Ａ方向）に向かって開口させている。このように構成することによって、吹出口６ａから空気が送出されると、支持部８同士の間（空間９）のＡ方向側の部分が負圧になり、支持部８同士の間（空間９）の空気（気流Ｆ８（図１２参照））は吹出口６ａから送出される空気（気流Ｆ１）と同じ方向に導かれる。これにより、ヘルメット５０の内部の空気の流れをより滑らかにすることができる。
【００６６】
また、支持部８にヘルメット５０を載置した状態で、ヘルメット５０の下端がイオン送出装置２０の底面よりも上側に位置するように、ヘルメット支持台１を形成する。これにより、イオン送出装置２０はヘルメット５０の外部の空気を吸い込み、ヘルメット５０の水分を吸収した空気はヘルメット５０の外部に排出される。このため、ヘルメット５０をより効率よく乾燥させることができる。
【００６７】
また、ヘルメット支持台１をイオン送出装置２０に取り付けることによって、ヘルメット支持台１とイオン送出装置２０との全体を容易に小型化することができる。また、ヘルメット支持台１をイオン送出装置２０に近づけて配置することができるので、脱臭および殺菌効果をより高めることができる。
【００６８】
（第２実施形態）
本発明の第２実施形態によるヘルメット支持台１では図１３〜図１５に示すように、上面部３の内面には下側（ヘルメット支持台１の内側）に突出する凸面（導風面）３ａが形成されている。この凸面３ａは逆円錐形状に形成されている。
【００６９】
また、図１４および図１５に示すように、凸面３ａは空気通路部を構成しているとともに、空気を吹出口６ａおよび６ｂに導くように形成されている。これにより、吸込口５に供給された空気は凸面３ａに沿って吹出口６ａおよび６ｂに導かれる。
【００７０】
第２実施形態のその他の構造は、上記第１実施形態と同様である。
【００７１】
本実施形態では、上記のように、上面部３の内面に下側に突出する凸面３ａを形成することによって、吸込口５に供給された空気を凸面３ａに沿って滑らかに吹出口６ａおよび６ｂに導くことができる。これにより、ヘルメット支持台１内で気流が乱れるのを抑制することができる。その結果、気流の衝突による圧力損失を減少させることができるので、送風量を増加させることができる。
【００７２】
なお、第２実施形態のその他の効果は、上記第１実施形態と同様である。
【００７３】
（第３実施形態）
この第３実施形態では図１６〜図２１を参照して、上記第１および第２実施形態と異なり、ヘルメット支持台１に吹出口６ａおよび６ｂだけでなく吹出口６ｃおよび６ｄも形成されている場合について説明する。
【００７４】
本発明の第３実施形態によるヘルメット支持台１では図１７および図１８に示すように、上部１ｂの後側部分（Ｂ方向側の部分）には、複数の吹出口６ｃが形成されている。すなわち、図２０に示すようにヘルメット５０が適切にヘルメット支持台１に載置された状態で、吹出口６ｃはヘルメット５０の後頭当接部５０ｄに向かって開口している。
【００７５】
また、図１６、図１８および図１９に示すように、上面部３には、複数の吹出口６ｄが形成されている。この複数の吹出口６ｄ（図１６参照）は、図２０および図２１に示すようにヘルメット５０が適切にヘルメット支持台１に載置された状態で、ヘルメット５０の頭頂当接部５０ｃに向かって開口している。なお、吹出口６ｄは頭頂当接部５０ｃの真下の位置に１つだけ形成されていてもよい。
【００７６】
次に、図１８、図２０および図２１を参照して、空気の流れについて説明する。図２０に示すように、ヘルメット支持台１の吸込口５（図１８参照）に供給された空気は、内部空間７（図１８参照）を通過して吹出口６ａ、６ｂ、６ｃおよび６ｄ（図１８参照）から外部（ヘルメット５０の内部）に送出される。
【００７７】
ここで、吹出口６ｃから送出された空気（気流Ｆ９）はヘルメット５０の後頭当接部５０ｄに当たった後、ヘルメット５０の内面に沿って下側に導かれる。
【００７８】
また、図２０および図２１に示すように、吹出口６ｄ（図１８参照）から送出された空気（気流Ｆ１０）はヘルメット５０の頭頂当接部５０ｃに当たった後、ヘルメット５０の内面に沿って下側に導かれる。
【００７９】
第３実施形態のその他の構造および空気の流れは、上記第１および第２実施形態と同様である。
【００８０】
本実施形態では、上記のように、吹出口６ｄおよび６ｃをヘルメット５０の頭頂当接部５０ｃおよび後頭当接部５０ｄに向かってそれぞれ開口させる。頭頂部や後頭部は額や側頭部の次に汗や皮脂が出やすいので、頭頂当接部５０ｃおよび後頭当接部５０ｄは額当接部５０ａや側頭当接部５０ｂの次に汚れやすい。このため、頭頂当接部５０ｃおよび後頭当接部５０ｄに向かって開口する吹出口６ｄおよび６ｃを設けることによって、頭頂当接部５０ｃおよび後頭当接部５０ｄにも重点的にイオンを含む空気を当てることができる。これにより、ヘルメット５０をより効率的に乾燥、脱臭および殺菌などすることができる。
【００８１】
第３実施形態のその他の効果は、上記第１および第２実施形態と同様である。
【００８２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８３】
例えば、上記実施形態では、乗車用のヘルメットを脱臭および除菌した例について示したが、本発明はこれに限らず、産業用保護帽（作業用ヘルメット）、スポーツ用ヘルメット（例えば剣道用防具の面）および帽子などにも使用することができる。また、半ヘルメット等の丈の短いヘルメットにも使用することができ、この場合もヘルメットを安定してヘルメット支持台に載置することができる。
【００８４】
また、上記実施形態では、支持部を上側に突出させた例ついて説明したが、本発明はこれに限らず、支持部を、例えば水平方向に突出させてもよいし、突出させなくてもよい。
【００８５】
また、上記実施形態では、ヘルメット支持台に前方向および後方向を示す表示を設けた例について示したが、このような表示を設けなくてもよい。
【００８６】
また、上記実施形態では、ヘルメット支持台の上部のうちの少なくとも前側部分および側方部分に吹出口を設けた例について示したが、本発明はこれに限らない。吹出口を、例えば上部の前側部分のみ、後側部分のみまたは側方部分のみに設けてもよい。
【００８７】
また、上記第２実施形態では、凸面を逆円錐形状に形成した例について示したが、本発明はこれに限らない。凸面の形状は吹出口等の形状に合わせて設定されるものであり、空気を滑らかに導くことができるのであれば、例えば逆多角錐形状や円柱形状でもよい。
【００８８】
また、上記実施形態では、ヘルメット支持台をイオン送出装置に取り付けるように形成した例について示したが、ヘルメット支持台をイオン送出装置に取り付けないように形成してもよい。すなわち、ヘルメット支持台に自立用の脚部を設け、ヘルメット支持台をイオン送出装置に被せてもよい。また、イオン送出装置とヘルメット支持台とをホースなどで連結してもよい。
【００８９】
また、上記実施形態では、ヘルメット支持台を、ケースの中にイオンを含む空気を取り込み、それを吹出口から送出するという、いわば「クローズドタイプ」として構成した例について説明したが、本発明はこれに限らない。例えば、ヘルメットを支持する骨組みに、気流を導く導風板を組み合わせただけの、いわば「オープンタイプ」として構成してもよい。
【符号の説明】
【００９０】
１  ヘルメット支持台
１ａ  下部
１ｂ  上部
３  上面部
３ａ  凸面（導風面）
５  吸込口
６ａ〜６ｄ  吹出口
７  内部空間（空気通路部）
８  支持部
９  空間
２０  イオン送出装置
５０  ヘルメット
５０ａ  額当接部
５０ｂ  側頭当接部
５０ｃ  頭頂当接部
５０ｄ  後頭当接部
【図１】
2012159206.tif 000003
【図２】
2012159206.tif 000004
【図３】
2012159206.tif 000005
【図４】
2012159206.tif 000006
【図５】
2012159206.tif 000007
【図６】
2012159206.tif 000008
【図７】
2012159206.tif 000009
【図８】
2012159206.tif 000010
【図９】
2012159206.tif 000011
【図１０】
2012159206.tif 000012
【図１１】
2012159206.tif 000013
【図１２】
2012159206.tif 000014
【図１３】
2012159206.tif 000015
【図１４】
2012159206.tif 000016
【図１５】
2012159206.tif 000017
【図１６】
2012159206.tif 000018
【図１７】
2012159206.tif 000019
【図１８】
2012159206.tif 000020
【図１９】
2012159206.tif 000021
【図２０】
2012159206.tif 000022
【図２１】
2012159206.tif 000023